(57)【特許請求の範囲】
【請求項１】
操作信号を入力する第１操作手段を有し被検者の視機能を検査する自覚式屈折力測定装置を備える検眼装置において、前記第１操作手段及び自覚式屈折力測定装置が配置された被検者の存在場所と異なる場所に置かれ、前記自覚式屈折力測定装置を動作させる操作信号を入力する第２操作手段と、該第２操作手段と前記自覚式屈折力測定装置とを通信回線で接続する通信手段と、自覚式屈折力測定装置による測定過程で、測定を進行させるために必要な前記第２操作手段を操作する検者と被検者との問答を行うコミュニケーション手段と、を備えることを特徴とする検眼装置。
【請求項２】
請求項１記載の検眼装置において、前記第１操作手段はディスプレイ及びコントローラを備え、第１操作手段は前記自覚式屈折力測定装置と接続する第２操作手段を指定する指定画面をディスプレイ上に表示することを特徴とする検眼装置。
【請求項３】
請求項１記載の検眼装置において、前記コミュニケーション手段は、前記第１操作手段であるコントローラに接続されたマイク及びスピーカを備えることを特徴とする検眼装置。
【発明の詳細な説明】
【０００１】
【発明の属する技術分野】
本発明は、視機能を検査する検査装置を遠隔操作して被検眼を検査するようにした検眼装置に関する。
【０００２】
【従来の技術】
従来、被検眼の視力検査や眼鏡レンズを処方するための自覚検査は、検者が被検者と同じ場所で応対し、各種の検眼装置を直接操作して行っていた。
【０００３】
【発明が解決しようとする課題】
しかし、眼鏡レンズを処方するための自覚検査等は、それを行う検者の経験や知識により差が生じやすく、検査の精度に影響する。経験の浅い検者では、被検眼が持つ屈折力の状態によっては十分な検査の対応ができないこともある。また、眼鏡店や眼科医では検眼ができる検者が不在のときは検査自体ができない。
【０００４】
従って、眼鏡店や眼科医では検眼の知識と経験を持つ検者の養成とその検者の配置が必要であるという問題があった。
【０００５】
本発明は、上記のような事情に鑑み、検者が被検者と同じ場所で応対しなくても検眼装置を操作して検査が可能な検眼装置を提供することを技術課題とする。
【０００６】
【課題を解決するための手段】
上記課題を解決するために、本発明は次のような構成を有することを特長とする。
【０００７】
（１）  操作信号を入力する第１操作手段を有し被検者の視機能を検査する自覚式屈折力測定装置を備える検眼装置において、前記第１操作手段及び自覚式屈折力測定装置が配置された被検者の存在場所と異なる場所に置かれ、前記自覚式屈折力測定装置を動作させる操作信号を入力する第２操作手段と、該第２操作手段と前記自覚式屈折力測定装置とを通信回線で接続する通信手段と、自覚式屈折力測定装置による測定過程で、測定を進行させるために必要な前記第２操作手段を操作する検者と被検者との問答を行うコミュニケーション手段と、を備えることを特徴とする
【０００８】
（２）  （１）記載の検眼装置において、前記第１操作手段はディスプレイ及びコントローラを備え、第１操作手段は前記自覚式屈折力測定装置と接続する第２操作手段を指定する指定画面をディスプレイ上に表示することを特徴とする。
【０００９】
（３）  （１）記載の検眼装置において、前記コミュニケーション手段は、前記第１操作手段であるコントローラに接続されたマイク及びスピーカを備えることを特徴とする。
【００１１】
【実施例】
以下、本発明の一実施例を図面に基づいて説明する。図１は本発明の検眼通信システムの概略構成を示す図である。１００はそれぞれ各眼鏡店に設置された検眼用ユニットであり、各検眼用ユニット１００は、モデム１を介して電話回線等の公衆回線通信網１８に接続され、互いに各種信号の送受信が可能になっている。検眼用ユニット１００は、自覚式眼屈折力測定装置２、コントローラ３、視標呈示装置４、リレーユニット５、他覚式眼屈折力測定装置６、レンズメータ７、マイク８、スピーカ９により構成されている。
【００１２】
検眼用ユニット１００の各構成装置を図２のブロック図により説明する。自覚式眼屈折力測定装置２は、種々の光学素子を検眼窓に電動で切換え配置する左右一対のレンズユニットや、左右のレンズユニットを吊り下げる吊り下げ部等から構成されている。レンズユニットは被検者の瞳孔間距離等の状態に基づいて、被検眼が検眼窓正面に配置されるように吊り下げ部内に設けられたモータ２７等により駆動される。マイクロコンピュータ回路２０は、入力された指令信号に基づき駆動回路２１を介してモータ２２を駆動させ、レンズユニット内に設けられた弱球面ディスク２３、強球面ディスク２４、補助レンズディスク２５、クロスシリンダディスク２６等の種々の光学素子が配置されたレンズディスクを回転させ、被検眼に屈折力を付与するための光学系を検査窓に配置する。
【００１３】
コントローラ３は、マイクロコンピュータ回路３０、制御命令を入力するためのスイッチ部３１、検眼プログラム等の制御プログラムを記憶したメモリ３２、検査データ等を記憶するメモリ３３、各種検眼情報を検者に表示するためのディスプレイ３４、ディスプレイ３４の表示回路３５等より構成される。
【００１４】
視標呈示装置４は被検者に種々の検査視標を呈示するための装置である。リレーユニット５からの指令信号が入力されたマイクロコンピュータ回路４０は、駆動回路４１を介してランプ７２を点灯させると共に、駆動回路４３を介してモータ４４を駆動させ、検査視標が描かれた視標ディスク４５、マスクディスク４６を回転させることにより、検査視標を被検眼の前方に置かれた図示なきスクリーンに投影する。
【００１５】
リレーユニット５は各装置間の通信中継を行う。マイクロコンピュータ回路５０、測定データを記憶するためのメモリ５１の他、測定結果を出力するプリンタ５２、プリンタ５２の駆動回路５３等を備える。
【００１６】
他覚式眼屈折力測定装置６は測定用指標を被検眼眼底に投影し、眼底の投影指標像を受光手段によって検出した検出信号に基づいて眼屈折力を測定する。レンズメータ７は被検者の前眼鏡のレンズパワー等を測定する。他覚式眼屈折力測定装置６およびレンズメータ７により測定された測定データは、リレーユニット５内のメモリ５１の記憶され、必要に応じて取り出され利用される。
【００１７】
マイク８及びスピーカ９は、被検者と遠隔地の検者との会話や応答のコミュニケーションを行うときに使用する。
【００１８】
図３にコントローラ３の上方視図を示す。スイッチ部３１には、以下に示すような各種スイッチを備える。６０は設定切換えスイッチ群であり、ディスプレイ３４の表示画面をメニュー画面に切換えてパラメータの設定等を行うときに使用するスイッチを備える。６１は視標呈示装置４に呈示させる検査視標を切換える視標スイッチ群、６２は呈示する検査視標に必要なマスクを掛けるためのマスクスイッチ群、６３は変更する測定データ等のモードを指定する変更モード指定スイッチ群、６４はデータを入力する際のモードまたは測定するモードを指定する入力データ指定スイッチ群、６５は他覚式眼屈折力測定装置６やレンズメータ７等からのデータを入力するときに使用するデータ入力スイッチ、６６はプリントスイッチ、６７は測定眼指定スイッチ、６８は測定値の変更や数値入力のときに使用するダイヤルスイッチである。６９ａ、６９ｂはクロスシリンダを切換える切換えスイッチであり、処方段階における見え方の調整時にも使用する。７０はシフトスイッチであり、このシフトスイッチ７０を押しながら他のスイッチを押すことによりスイッチ機能を付加する。７１はファンクションスイッチ群であり、ディスプレイ３４の画面下方の所定位置に表示される種々のスイッチ表示に対応したものを選択するときに使用する。また、７２はプログラム検眼を実行するスタ−トスイッチ、７３はプログラム検眼の検査段階を次のものに進める送りスイッチである。
【００１９】
このような検眼用ユニット１００により各眼鏡店では、コントローラ３を操作して検眼を行う。なお、その他の眼鏡店に設置された検眼用ユニット１００も基本的に同様な構成を備える。
【００２０】
次に、本検眼通信システムによる動作を説明する。ここでは、眼鏡店Ｂに設置された検眼用ユニット１００´を検者が使用し、眼鏡店Ａに設置された検眼用ユニット１００により被検者の検査を行うものとする。なお、以下では眼鏡店Ａと眼鏡店Ｂ側の検眼用ユニット１００を区別するために、眼鏡店Ｂ側の各構成要素に「´」を付けて説明する。
【００２１】
まず、眼鏡店Ａでは補助者が検眼前の必要な準備を行う。補助者は他覚式眼屈折力測定装置６を使用して被検者の他覚的な屈折力を測定する。被検者が眼鏡を装用しているときはその眼鏡度数をレンズメータ７を使用して測定する。測定した被検者の他覚値データや前眼鏡値データは、補助者によるコントローラ３のスイッチ操作によりリレーユニット５を介してコントローラ３側のメモリ３３に記憶される。また、補助者は被検者の問診情報を入力する。コントローラ３のメニュースイッチ６０ａを押すと、ディスプレイ３４の画面上に図４のような設定メニュー画面が表示されるので、移動スイッチ６０ａ、６０ｂにより反転表示部分を「問診」メニューに移動させ、実行スイッチ６０ｄにより選択する。ディスプレイ３４上の画面は問診情報を入力する画面に切換り、被検者の年齢や検眼の目的等、検眼に必要な情報が入力できるようになる。被検者の眼前には自覚式眼屈折力測定装置２の検眼窓を位置させ（自覚式眼屈折力測定装置２は必要な検査段階になったら準備しても良い）、視標呈示装置４、マイク８、スピーカ９等のセッティングを行って検眼の準備を整える。
【００２２】
検眼の準備ができたら、眼鏡店Ｂ側の検眼用ユニット１００´との通信接続を行う。図４に示した設定メニュー画面の「回線接続」メニューを選択すると、表示画面は接続先を指定する画面に切換るので、移動スイッチ６０ｂ、６０ｃ等の操作により眼鏡店Ｂ側の検眼用ユニット１００´との接続を指定する。
【００２３】
両検眼用ユニット１００、１００´が接続されると、問診情報や他覚値データ等が眼鏡店Ｂ側のリレーユニット５´を介してコントローラ３´のメモリ３３´に転送記憶され、各々のコントローラ３のディスプレイ３４、３４´の画面上には接続完了のメッセージが表示される。これにより、眼鏡店Ｂ側の検者は接続の完了を知ることができる。また、検者はメニュー画面の「問診」メニューを選択して被検者の問診情報を知ることができる。さらに必要な問診情報は、両検眼用ユニットに接続されたマイク、スピーカにより確認することができる。
【００２４】
検者はディスプレイ３４´上の画面を検査画面にし、他覚値データや前眼鏡値データを確認して検査を開始する。検査は、例えば、裸眼視力検査、前眼鏡による視力検査の予備検査を行った後、他覚値デ−タの適否等を確認する他覚視力確認検査、乱視検査の前段階に行う第１のＲ／Ｇ（レッド・グリーン）検査、乱視軸検出検査、乱視度数検出検査、過矯正を防止して最高視力を得るための第２のＲ／Ｇ検査、両眼バランス検査、及び度数調整の自覚検査等を行う。また、検眼プログラムを使用して検査を行うこともできる。
【００２５】
これらの検査において、被検者への質問やその応答は各マイク８、８´とスピーカ９、９´を通じて行うことができる。被検眼へ検査視標を呈示する場合、コントローラ３´の視標スイッチ群６１´により視標を選択すると、視標に関する信号がリレーユニット５´、モデム１´、公衆回線通信網１８、モデム１、リレーユニット５を介して視標呈示装置４に入力され、選択された検査視標が被検者の前方に置かれたスクリーンに呈示される。また、検者側のコントローラ３´のディスプレイ３４´上には、画面下方に呈示視標が図柄表示されるので、これにより視標呈示状態を知ることができる（図５参照）。自覚式屈折力測定装置２の光学系を切り換える場合、コントローラ３´のスイッチ群６３´が持つ測定モードスイッチ、ダイヤルスイッチ６８´等の操作により測定値を入力する。コントローラ３´からの屈折力に関する信号は、同様に公衆回線通信網１８等を介して、被検者の眼前に置かれた自覚式屈折力測定装置２に入力され、マイクロコンピュータ回路２０が入力された信号に基づいて光学系を切り換える。測定情報は検者側のコントローラ３´のディスプレイ３４´上に表示される（図５参照）。
【００２６】
このようにして、検者はディスプレイ３４´上に表示される情報と被検者の応答に基づいてコントローラ３´を操作し、遠隔地にいながらにして検査を行うことができる。また、これらの検眼情報は眼鏡店Ａ側のディスプレイ３４上にも表示され、測定データは両コントローラ３、３´のメモリ３３、３３´にそれぞれ記憶される。
【００２７】
検査が終了したら、検者はコントローラ３´上のファンクションスイッチ７１´の内、検査終了に対応するスイッチ部分を押す。この信号により回線接続が切断され、ディスプレイ３４、３４´画面上に表示されていた接続中の表示が消える。
【００２８】
眼鏡店Ａ側の補助者は測定が終了したことを確認した後、プリントスイッチ６６を押して測定結果をプリンタ５２より出力する（検査終了の信号により自動的に出力されるようにしても良い）。これにより、眼鏡店Ａ側でも検査結果を知ることができる。
【００２９】
以上のように、眼鏡店では熟練した検者を常に置かなくても、依頼のあった眼鏡店の検査装置を操作できるので、検査への対応が柔軟になる。また、各眼鏡店では熟練した検者の数、養成を少なくすることができるようになる。さらには、多数の眼鏡店舗を持つチェーン店では、本部に必要な装置を置き、常に検眼依頼に対応できる体制を取ることができる。
【００３０】
以上の実施例では、被検者側の検眼用ユニット１００と同様な構成を持つ検眼用ユニット１００´を検者が使用して検査を行うものとしたが、検者側では単にコントローラ３´の操作手段と被検者との応答手段があれば遠隔地での検査を可能にすることができる。
【００３１】
また、回線接続中には被検者側のコントローラ３のスイッチ信号（必要なもの以外のスイッチ信号）を受け付けないようにして、回線接続中における被検者側のコントローラ３の誤操作や装置の誤動作を防止するようにしても良い。
【００３２】
また、検眼用ユニット１００には被検者の顔を撮影するＴＶカメラを接続し、別の場所に居る検者側にはＴＶカメラの映像を映し出すモニタを配置して被検者の表情を見ながら検査を行えるようにすると、より被検者に適した処方を行えるようになる。異なる場所の双方にＴＶカメラ、モニタを配置すればさらにコミュニケーションを円滑に行うことができる。
【００３３】
また、図６に示すように、検眼用ユニット１００と公衆回線通信網１８との通信接続を、コントローラ３から直接モデム１を介して接続するような構成でも良い。マイク、スピーカもコントローラ３に接続する。
【００３４】
また、コントローラ３は各検査装置の動作をコントロールする専用のものとして示したが、市販のパーソナルコンピュータ、ディスプレイを使用することも可能である。
【００３５】
上述したように本発明は様々な変容が可能であり、技術思想を同じくするものについては本願発明に包含されるものである。
【００３６】
【発明の効果】
以上説明したように、本発明によれば、熟練した検者が被検者とは離れた場所や遠隔地で検査装置を操作して検査を行うことができるので、検査の省力化を図ることができる。
【図面の簡単な説明】
【図１】本発明の検眼通信システムの概略構成を示す図である。
【図２】検眼用ユニットの各構成装置を説明するブロック図である。
【図３】コントローラの上方視図である。
【図４】ディスプレイに表示される設定メニュー画面の例を示す図である。
【図５】ディスプレイに表示される検査画面例を示す図である。
【図６】検眼用ユニットとモデムとの接続の変容例を示す図である。
【符号の説明】
１  モデム
２  自覚式眼屈折力測定装置
３  コントローラ
４  視標呈示装置
８  マイク
９  スピーカ
１８  公衆回線通信網
１００  検眼用ユニット
【図１】
0003575941.tif 000002
【図２】
0003575941.tif 000003
【図３】
0003575941.tif 000004
【図４】
0003575941.tif 000005
【図５】
0003575941.tif 000006
【図６】
0003575941.tif 000007